(57)【要約】【課題】受信装置で検出したコンテンツを、受信装置に接続していない印刷装置で印刷することができると共に、コンテンツが複製されたり再配布されたりすることを防止できる印刷システムを提供する。【解決手段】放送信号に含まれるコンテンツを検出して所定の情報をＩＣカード１１１に記録する受信装置１０９と、ＩＣカードに記録されている所定の情報を読み取ってコンテンツサーバ１０６からコンテンツを取得するプリンタ１１２と、プリンタからの要求に応じて所定のコンテンツをプリンタに送信するコンテンツサーバ１０６とから成る。【選択図】      図１
2004178186.tif 000002
【特許請求の範囲】
【請求項１】
放送信号に含まれるコンテンツを検出して所定の情報を記録媒体に記録する受信装置と、
前記記録媒体に記録されている所定の情報を読み取ってコンテンツサーバからコンテンツを取得する印刷装置と、
前記印刷装置からの要求に応じて所定のコンテンツを前記印刷装置に送信するコンテンツサーバとから成ることを特徴とする印刷システム。
【発明の詳細な説明】
【０００１】
【発明の属する技術分野】
本発明は、放送信号を受信して放送信号に含まれるコンテンツを印刷する印刷システムに関する。
【０００２】
【従来の技術】
従来、多重放送やデータ放送に含まれる文書・画像等のコンテンツを印刷する方法として、受信したコンテンツを、受信装置に接続したプリンタにより印刷する方法や（例えば、特許文献１，２，３参照）、受信したコンテンツをＰＣ（パーソナルコンピュータ）等に取り込んで、該ＰＣ等から任意のプリンタにより印刷する方法が提案されている（例えば、特許文献４参照。）。
【０００３】
【特許文献１】
特開平５−７５９８４号
【特許文献２】
特開平９−２１４９０３号
【特許文献３】
特開２００１−１４５０４９号
【特許文献４】
特開平６−１４１１２２号
【０００４】
【発明が解決しようとする課題】
しかしながら、上述した従来例の前者、即ち、受信したコンテンツを、受信装置に接続したプリンタにより印刷する方法の場合は、当然のことながら、受信装置にプリンタが接続されていなければ、受信したコンテンツを印刷することはできない。また、プリンタが受信装置に接続されていても、プリンタが故障等により使用できない状態の場合には、この間受信したコンテンツを印刷することはできないという問題が生じていた。また、受信装置にプリンタが接続されていて使用可能な状態であっても、例えば、接続されているプリンタがモノクロプリンタの場合に、カラーのコンテンツを受信しても、モノクロでしか印刷することができないといったように、受信したコンテンツの内容と、接続するプリンタの性能とによっては、必ずしもユーザの満足するコンテンツの印刷を行うことはできなかった。
【０００５】
一方、上述した従来例の後者、即ち、受信したコンテンツを、一旦ＰＣ等に取り込んで、該ＰＣ等から任意のプリンタにより印刷する方法の場合は、コンテンツ自体をデータとしてＰＣに取り込んでしまえば、その後は、ＰＣから該ＰＣに接続される任意のプリンタにより印刷することができるので、上述したような問題は回避することができるが、コンテンツ自体をデータとしてＰＣに取り込んでしまうと、取り込まれたコンテンツが簡単に複製されたり、再配布されてしまったりという危険性が生じる。これは、コンテンツ提供者側にとって、コンテンツの著作権を保護するような場合に、非常に問題があった。
【０００６】
更に、コンテンツ提供者がコンテンツの印刷に対して課金を行う場合に、コンテンツを受信装置に接続されたプリンタでしか印刷できないシステムの場合には、受信装置、若しくは印刷装置で印刷履歴を記録しておき、後で料金を徴収することもできるが、コンテンツをＰＣに取り込んで、後でＰＣから任意に印刷することができるシステムの場合には、ユーザがコンテンツを印刷したか否かを知る術も無く、基本的にコンテンツの印刷に対して課金を行うことはできなかった。
【０００７】
このように、従来のコンテンツの印刷方法では、ユーザ側の「受信したコンテンツを受信装置に接続されたプリンタ以外の任意のプリンタで印刷したい」という要望と、コンテンツ提供者側の「コンテンツの著作権を保護した上で印刷させたい、また、コンテンツの印刷に対して課金を行いたい」という要望とを共に満たすことはできず、これらユーザ側及びコンテンツ提供者側双方の要望を満たすコンテンツの印刷方法が切望されていた。
【０００８】
本発明は上記従来技術の有する問題点に鑑みてなされたものであり、その目的とするところは、受信装置で検出したコンテンツを、該受信装置に接続していない印刷装置で印刷することを可能にした印刷システムを提供することにある。
【０００９】
【課題を解決するための手段】
上記目的を達成するために、本発明の印刷システムは、放送信号に含まれるコンテンツを検出して所定の情報を記録媒体に記録する受信装置と、前記記録媒体に記録されている所定の情報を読み取ってコンテンツサーバからコンテンツを取得する印刷装置と、前記印刷装置からの要求に応じて所定のコンテンツを前記印刷装置に送信するコンテンツサーバとから成ることを特徴とする。
【００１０】
【発明の実施の形態】
以下、本発明の各実施の形態を図面に基づき説明する。
【００１１】
（第一実施の形態）
まず、本発明の第一実施の形態を図１〜図１０に基づき説明する。
【００１２】
図１は、本実施の形態に係る印刷システム全体の構成を示す図であり、同図において、１０１は放送局、２は放送信号、１０３は自宅、１０４はプリントショップ或いはコンビニエンスストア等であり、ここではプリントショップとして説明する。１０５はインターネット（Ｉｎｔｅｒｎｅｔ）、１０６はコンテンツサーバである。
【００１３】
放送局１０１は、放送信号１０２によって、変調されたアナログ映像／音声信号を送信すると共に、コンテンツを重畳して送信する。
【００１４】
自宅１０３は、放送受信システム１０７を有している。この放送受信システム１０７は、全体として、アンテナ１０８、受信装置１０９、モニタ１１０、ＩＣカード１１１を備えている。そして、放送局１０１からの変調されたアナログ映像／音声信号及びデータは、アンテナ１０８で受信されて、受信装置１０９内のチューナ（図示省略）で選局される。受信装置１０９は、受信したアナログ映像／音声信号をモニタ１１０に出力する。また、コンテンツを検出した場合、該コンテンツを特定する所定のデータをＩＣカード１１１に記録する。
【００１５】
尚、受信装置１０９に印刷装置が接続されている印刷システムの場合には、検出したコンテンツを接続する印刷装置で直接印刷することも可能であるが、本実施の形態においては、印刷装置が接続されていない場合に、コンテンツを後でプリントショップやコンビニエンスストアに設置されている印刷装置（プリンタ）で印刷する印刷システムであるため、受信装置１０９に印刷装置は接続されていない構成とする。
【００１６】
プリントショップ１０４は、プリンタ（印刷装置）１１２を備えている。このプリンタ１１２は、ＩＣカード１１１が着脱可能であって、ユーザが持参したＩＣカード１１１をプリンタ１１２に挿入すると、インターネット１０５上の所定のコンテンツサーバ１０６にアクセスし、コンテンツを取得して記録紙上に印刷するようになっている。
【００１７】
尚、コンテンツサーバ１０６には、放送局１０１が放送信号１０２に重畳するコンテンツが格納されていて、プリンタ１１２からコンテンツ取得要求を受け取ると、所定のコンテンツをプリンタ１１２に送信する。
【００１８】
上記のようにして、放送信号１０２に含まれるコンテンツを自宅１０３以外のプリントショップ或いはコンビニエンスストア１０４に設置されているプリンタ１１２で印刷することができる印刷システムである。
【００１９】
図２は、本実施の形態に係る印刷システムにおける受信装置１０９のハード構成の概要を示すブロック図である。
【００２０】
同図に示すように、受信装置１０９は、アナログ復調部２０１、映像／音声信号出力部２０２、チューナ２０３、データ検出部２０４、リモコン（リモートコントローラ）信号受信部２０５、ＩＣカードＩ／Ｆ（インターフェース）部２０６、ＣＰＵ（中央演算処理装置）２０７、ＲＯＭ（リードオンリーメモリ）２０８、ＲＡＭ（ランダムアクセスメモリ）２０９、リモコン（リモートコントローラ）２１０及びＣＰＵバス２１１を備えている。
【００２１】
チューナ２０３、データ検出部２０４、リモコン（リモートコントローラ）信号受信部２０５、ＩＣカードＩ／Ｆ（インターフェース）部２０６、ＣＰＵ（中央演算処理装置）２０７、ＲＯＭ（リードオンリーメモリ）２０８、ＲＡＭ（ランダムアクセスメモリ）２０９は、ＣＰＵバス２１１上に接続されている。
【００２２】
アナログ復調部２０１は、チューナ２０３から入力される変調されたアナログ映像／音声信号を復調し、該復調したアナログ映像／音声信号を後述する映像／音声信号出力部２０２に出力する。
【００２３】
アナログ映像／音声信号出力部２０２は、アナログ復調部２０１から入力されたアナログ映像／音声信号をモニタ１１０に出力し、該モニタ１１０に映像が表示され且つ音声が出力される。
【００２４】
チューナ２０３は、アンテナ１０８から供給される信号の中から選局された放送信号１０２を取り出し、アナログ復調部２０１及びデータ検出部２０４に出力する。
【００２５】
データ検出部２０４は、チューナ２０３から入力した放送信号１０２に含まれるコンテンツを検出して、ＣＰＵバス２１１上に出力する。
【００２６】
リモコン信号受信部２０５は、後述するリモコン２１０から送信される赤外線（リモコン信号）を受信して、電源操作や選局操作の指示をＣＰＵバス２１１上に出力する。
【００２７】
ＩＣカードＩ／Ｆ部２０６は、受信装置１０９に対するＩＣカード１１１の装着状態を検出して、その検出結果を示す信号をＣＰＵバス２１１上に出力する。また、後述するＣＰＵ２０７の指示に基づき、ＲＡＭ２０９上の所定のデータをＩＣカード１１１に書き込み、また、ＩＣカード１１１に記録されているデータを読み取って、ＣＰＵバス２１１上に出力する。
【００２８】
ＣＰＵ２０７は、後述するＲＯＭ２０８に格納された制御プログラムに従って、受信装置１０９の各部を制御する。また、ＣＰＵ２０７は、データ検出部２０４により検出されたコンテンツをＲＡＭ２０９に格納し、該コンテンツを特定する所定のデータを、ＩＣカードＩ／Ｆ部２０６を介してＩＣカード１１１に記録する。
【００２９】
ＲＯＭ２０８は、受信装置１０９全体を制御するためにＣＰＵ２０７が実行する制御プログラムを格納している。
【００３０】
ＲＡＭ２０９は、データ検出部２０４、リモコン信号受信部２０５、ＩＣカードＩ／Ｆ部２０６から出力されるデータを格納するため及びＣＰＵ２０７の作業領域として使用されるメモリである。
【００３１】
リモコン２１０は、受信装置１０９全体を制御するもので、電源操作や選局操作が可能なキーを備え、ユーザによる操作指示を赤外線により受信装置１０９に送信する。
【００３２】
次に、自宅１０３の受信装置１０９において、放送信号１０２に含まれるコンテンツを検出して、所定のデータをＩＣカード１１１に記録するまでの処理について、図３を用いて説明する。
【００３３】
図３は、ある放送番組の放送信号（シーン）と、これに含まれるコンテンツの一例を示す図である。
【００３４】
図３に示す通り、チャンネル１００（Ｃｈ．１００）の「テレビショッピング」という放送番組の放送信号には、所定のシーン（例えば、カメラの紹介、プリンタの紹介等）に同期してコンテンツ（１０１、１０２、１０３）が含まれていて、受信装置１０９のデータ検出部２０４は、この放送番組の受信中に、これら３つのコンテンツ１０１〜１０３を検出して、ＲＡＭ２０９に格納する。
【００３５】
図４は、放送信号に含まれるコンテンツの構成を示す図であり、コンテンツは、コンテンツを特定するＣｏｎｔｅｎｔＩＤ（コンテンツ識別子）４０１と、コンテンツデータＣｏｎｔｅｎｔＤＡＴＡ（コンテンツデータ）４０２とから構成される。
【００３６】
図５は、ＩＣカード１１１に記録されるデータの一例を示す図であり、記録されるデータは、ＩＣカード１１１自体を識別するためのＣａｒｄＩＤ（カード識別子）部５０１と、データ検出部２０４により検出されたコンテンツを特定するためのＣｏｎｔｅｎｔＩＤ部５０２とから成る。
【００３７】
次に、受信装置１０９において、コンテンツを検出して所定のデータをＩＣカード１１１に記録するまでの処理を、図６のフローチャートを用いて説明する。
【００３８】
図２に示す受信装置１０９は、データ検出部２０４によりコンテンツが検出されるのを待機し（ステップＳ６０１）、コンテンツを検出すると、検出したコンテンツのＣｏｎｔｅｎｔＩＤをＲＡＭ２０９（図２参照）に格納する（ステップＳ６０２）。
【００３９】
次に、ＩＣカードＩ／Ｆ部２０６（図２参照）にＩＣカード１１１が装着（セット）されているか否かを判別し（ステップＳ６０３）、装着されていない場合には、この時点で処理を終え、再び前記ステップＳ６０１へ戻って、データ検出部２０４（図２参照）によりコンテンツが検出されるのを待機する。
【００４０】
また、ＩＣカード１１１が装着されている場合には、続いてＩＣカードＩ／Ｆ部２０６を介してＩＣカード１１１に記録されているデータを読み出し（ステップＳ６０４）、このＩＣカード１１１に所定のデータを書き込むことが可能か否かを判定する（ステップＳ６０５）。具体的には、まず、読み出したＣａｒｄＩＤから、装着されているＩＣカード１１１が、この受信装置１０９で使用可能なＩＣカードであるか否かを判定する。また、ＩＣカード１１１に所定の空きサイズがあるか否かを判定することにより、書き込み可能であるか否かを判定する。
【００４１】
これら何れかの判定がＮＧの場合には、この時点で処理を終え、再び前記ステップＳ６０１へ戻って、データ検出部２０４（図２参照）によりコンテンツが検出されるのを待機する。
【００４２】
また、ＩＣカード１１１は書き込み可能であると判定した場合には、次に、書き込むＣｏｎｔｅｎｔＩＤが既にＩＣカード１１１に記録済みであるか否かを判定し（ステップＳ６０６）、既に記録済みのＣｏｎｔｅｎｔＩＤである場合には、ＩＣカード１１１への書き込みは行わず、再び前記ステップＳ６０１へ戻って、データ検出部２０４によりコンテンツが検出されるのを待機する。
【００４３】
また、未記録のＣｏｎｔｅｎｔＩＤである場合には、該ＣｏｎｔｅｎｔＩＤをＩＣカード１１１に書き込んで（ステップＳ６０７）、再び前記ステップＳ６０１へ戻って、データ検出部２０４によりコンテンツが検出されるのを待機する。
【００４４】
以上の処理により、例えば、受信装置１０９において、図３に示すような放送番組の受信を終えると、放送番組中に検出されたコンテンツ１０１、１０２、１０３のＣｏｎｔｅｎｔＩＤ（例えば、それぞれ、Ｃ１０１、Ｃ１０２、Ｃ１０３）が、図５に示す通りＩＣカード１１１に記録される。
【００４５】
次に、プリントショップ１０４等に設置されるプリンタ１１２の構成について、図７を用いて説明する。
【００４６】
図７は、プリントショップ１０４に設置されるプリンタ１１２のハード構成の概要を示すブロック図である。
【００４７】
同図に示すように、プリンタ１１２は、ＩＣカードＩ／Ｆ（インターフェース）部７０１、ネットワークＩ／Ｆ（インターフェース）７０２、バッファメモリ７０３、プリンタエンジンＩ／Ｆ（インターフェース）７０４、パネルＩ／Ｆ（インターフェース）７０５、ＣＰＵ（中央演算処理装置）７０６、ＲＯＭ（リードオンリーメモリ）７０７、ＲＡＭ（ランダムアクセスメモリ）７０８、パネル７０９、プリンタエンジン７１０及びＣＰＵバス７１１を備えている。
【００４８】
ＩＣカードＩ／Ｆ７０１、ネットワークＩ／Ｆ７０２、バッファメモリ７０３、プリンタエンジンＩ／Ｆ７０４、パネルＩ／Ｆ７０５、ＣＰＵ７０６、ＲＯＭ７０７及びＲＡＭ７０８は、ＣＰＵバス７１１上に接続されている。
【００４９】
ＩＣカードＩ／Ｆ部７０１は、プリンタ１１２に対するＩＣカード１１１の装着状態を検出して、その検出結果を示す信号をＣＰＵバス７１１上に出力する。また、ＩＣカードＩ／Ｆ部７０１は、ＣＰＵ７０６の指示に基づき、ＩＣカード１１１に記録されているデータを読み取って、ＣＰＵバス７１１上に出力したり、ＩＣカード１１１に記録されているデータを消去したりする。
【００５０】
ネットワークＩ／Ｆ７０２は、インターネット１０５に接続する所定のコンテンツサーバ１０６にアクセスし、コンテンツを取得する。
【００５１】
バッファメモリ７０３は、コンテンツサーバ１０６から取得したコンテンツをビットマップ画像に展開して印刷する際に使用される一時的なメモリである。
【００５２】
プリンタエンジンＩ／Ｆ７０４は、ビットマップ画像に展開した画像を後述するプリンタエンジン７１０に出力して印刷する際に、このプリンタエンジン７１０との間で画像データや制御データのやり取りを行う。
【００５３】
パネルＩ／Ｆ部７０５は、後述するＲＯＭ７０７上に格納されている各種操作画面をパネル７０９に表示したり、このパネル７０９から入力された指示信号をＣＰＵバス７１１上に出力したりする。
【００５４】
ＣＰＵ７０６は、後述するＲＯＭ７０７に格納された制御プログラムに従って、プリンタ７の各部を制御する。
【００５５】
ＲＯＭ７０７は、プリンタ１１２全体を制御するためにＣＰＵ７０６が実行する制御プログラムを格納している。
【００５６】
ＲＡＭ７０８は、ＩＣカードＩ／Ｆ７０１、ネットワークＩ／Ｆ７０２、プリンタエンジンＩ／Ｆ７０４、パネルＩ／Ｆ７０５から出力されるデータを格納するため及びＣＰＵ７０６の作業領域として使用されるメモリである。
【００５７】
パネル７０９は、各種の指示信号を入力するための多数のキーや、各種の情報を表示するための画面等を有している。
【００５８】
プリンタエンジン７１０は、プリンタ１１２を駆動するものである。
【００５９】
次に、プリンタ１１２において、ＩＣカード１１１に記録されている所定のデータを読み取って、コンテンツサーバ１０６からコンテンツを取得して印刷するまでの処理について、図８〜図１０を用いて説明する。
【００６０】
図８及び図９は、プリンタ１１２におけるコンテンツ印刷時の処理動作の流れを示すフローチャートである。また、図１０は、コンテンツ印刷処理時に、プリンタ１１２のパネル７０９の画面上に表示される操作画面の一例を示す操作フロー図である。
【００６１】
以下、これら各図を用いて詳細に説明する。
【００６２】
図７のプリンタ１１２において、コンテンツ印刷処理が起動されると、ＣＰＵ７０６は、まず、ユーザにＩＣカードの挿入を促す図１０に示すような初期画面１００１をパネル７０９（図７参照）に表示する（図８のステップＳ８０１）。
【００６３】
続いて、ＩＣカードＩ／Ｆ部７０１（図７参照）によりプリンタ１１２にＩＣカード１１１が装着されたことが検出されるのを待機し（図８のステップＳ８０２）、プリンタ１１２にＩＣカード１１１が装着されたことが検出されると、その装着されたＩＣカード１１１のＣａｒｄＩＤを読み取って、使用（読み込み）可能なＩＣカードであるか否かを判定する（図８のステップＳ８０３）。
【００６４】
ＩＣカード１１１に記録されているデータが正しく読み取れなかったり、読み取ったＣａｒｄＩＤが使用不可能なＣａｒｄＩＤであったりした場合、即ち、使用不可能なＩＣカードの場合には、パネル７０９に図１０に示すような画面１００２を表示して、ＩＣカード１１１が正しく読み取れなかったことをユーザに報知する（図８のステップＳ８０４）。次いで、図１０に示すような画面１００２において終了キーが押下されるのを待機し（図８のステップＳ８０５）、終了キーが押下されると、図９のステップＳ８２０へ移行して、パネル７０９に図１０に示すような終了画面１００８を表示する。次に、ＩＣカード１１１がプリンタ１１２から引き抜かれるのを待機し（図９のステップＳ８２１）、ＩＣカード１１１がプリンタ１１２から引き抜かれると、前記図８のステップＳ８０１へ戻る。
【００６５】
また、前記図８のステップＳ８０３において、ＩＣカード１１１に記録されているデータが正しく読み取れた場合、即ち、使用可能なＩＣカードの場合には、続いて読み取ったデータにＣｏｎｔｅｎｔＩＤが有るか否かを判定する（図８のステップＳ８０６）。そして、ＣｏｎｔｅｎｔＩＤが無い場合には、印刷するコンテンツは１つもないので、パネル７０９に図１０に示すような画面１００４を表示して、データ（ＣｏｎｔｅｎｔＩＤ）が記録されていないことをユーザに報知する（図８のステップＳ８０７）。次いで、図１０に示すような画面１００４において終了キーが押下されるのを待機し（図８のステップＳ８０８）、終了キーが押下されると、前記図９のステップＳ８２０へ移行する。
【００６６】
また、前記図８のステップＳ８０６において、読み取ったデータにＣｏｎｔｅｎｔＩＤが有る場合には、パネル７０９に図１０に示すような画面１００３を表示し、ネットワークＩ／Ｆ７０２を介してインターネット１０５上の所定のコンテンツサーバ１０６（図１参照）にアクセスする（図８のステップＳ８０９）。
【００６７】
ここで、アクセスするコンテンツサーバ１０６のアドレスの供給方法は、予めプリンタ１１２に設定しておいても良いし、ＩＣカード１１１をプリンタ１１２に挿入した際に、ユーザがパネル７０９から入力する方法をとっても良い。また、予めＩＣカード１１１に記録されていて、これを読み取って供給する方法でも良い。
【００６８】
コンテンツサーバ１０６にアクセスした結果、例えば、コンテンツサーバ１０６側のトラブルや、ネットワーク１０５上のトラブルにより、正常にアクセスできなかった場合（図８のステップＳ８１０）は、パネル７０９に図１０に示すような画面１００６を表示し、コンテンツサーバ１０６にアクセスできなかったことをユーザに報知する（図８のステップＳ８１１）。次いで、図１０に示すような画面１００６において終了キーが押下されるのを待機し（図８のステップＳ８１２）、終了キーが押下されると、図９のステップＳ８２０へ移行する。
【００６９】
また、前記図８のステップＳ８１０において、コンテンツサーバ１０６に正常にアクセスできた場合は、パネル７０９に図１０に示すような画面１００５を表示し、ＩＣカード１１１から読み取った一連のＣｏｎｔｅｎｔＩＤを、ネットワークＩ／Ｆ部７０２を介してコンテンツサーバ１０６に送信して、コンテンツの取得要求を行い（図８のステップＳ８１３）、その後、図９のステップＳ８１４へ移行する。
【００７０】
尚、コンテンツサーバ１０６は、プリンタ１１２からＣｏｎｔｅｎｔＩＤを受け取ると、該ＣｏｎｔｅｎｔＩＤで特定されるコンテンツをプリンタ１１２に送信する。
【００７１】
図９のステップＳ８１４では、プリンタ１１２がコンテンツサーバ１０６からコンテンツを受信すると、ネッワークＩ／Ｆ部７０２（図７参照）から入力されたコンテンツをＲＡＭ７０８（図７参照）に格納する。そして、全てのコンテンツを取得し終えると、逐次取得したコンテンツの印刷を行う（図９のステップＳ８１５）。
【００７２】
このコンテンツの印刷は、ＲＡＭ７０８に格納したコンテンツを１つずつ読み出し、ビットマップ画像に展開してバッファメモリ７０３（図７参照）に格納し、展開したビットマップ画像を、プリンタエンジンＩ／Ｆ７０４を介してプリンタエンジン７１０（図７参照）に出力することにより行われる。また、印刷中は、パネル７０９に図１０に示すような画面１００７を表示して、ユーザにコンテンツの印刷中であることを報知する。
【００７３】
このようにして、１つのコンテンツの印刷を終えた場合、その印刷が正常に終了したか否かを判定し（図９のステップＳ８１６）、印刷がジャムや紙無しで正常に終了しなかった場合には、所定のリカバリー処理を行った後（図９のステップＳ８１７）、再び前記図９のステップＳ８１５へ戻って、コンテンツの印刷を行う。
【００７４】
また、１つのコンテンツの印刷が正常に終了した場合は、ＩＣカード１１１の印刷を終えたコンテンツのＣｏｎｔｅｎｔＩＤを消去（クリア）する（図９のステップＳ８１８）。また、ＲＡＭ７０８（図７参照）から印刷を終えたコンテンツを消去した上で、次に印刷するコンテンツがＲＡＭ７０８にあるか否かを判定する（図９のステップＳ８１９）。そして、次に印刷するコンテンツがＲＡＭ７０８にある場合には、前記図９のステップＳ８１５へ戻って、次のコンテンツの印刷を行う。
【００７５】
また、前記図９のステップＳ８１９において、ＲＡＭ７０８に格納された全てのコンテンツを印刷し終えると、パネル７０９に図１０に示すような終了画面１００８を表示して、ユーザにＩＣカード１１１をプリンタ１１２から引き抜くように促す（図９のステップＳ８２０）。
【００７６】
図１０に示す終了画面１００８でＩＣカード１１１がプリンタ１１２から引き抜かれるのを待機し（図９のステップＳ８２１）、ＩＣカードＩ／Ｆ７０１によりＩＣカード１１１がプリンタ１１２から引き抜かれたことを検知すると、再び前記図８のステップＳ８０１へ戻って、図１０に示すような初期画面１００１を表示して、ＩＣカード１１１がプリンタ１１２に挿入されるのを待機する。
【００７７】
以上の処理により、受信装置１０９（図１参照）がコンテンツを検出すると、その検出したコンテンツを特定するＣｏｎｔｅｎｔＩＤがＩＣカード１１１（図１参照）に記録され、ＣｏｎｔｅｎｔＩＤが記録されたＩＣカード１１１を、プリントショップ１０４（図１参照）のプリンタ１１２（図１参照）にセットすると、プリンタ１１２がＩＣカード１１１に記録されたＣｏｎｔｅｎｔＩＤを読み取って、所定のコンテンツサーバ１０６（図１参照）に送信し、このコンテンツサーバ１０６から前記ＣｏｎｔｅｎｔＩＤで特定されるコンテンツを取得して印刷を行う。
【００７８】
尚、本実施の形態では、プリンタ１１２がＩＣカード１１１から読み取ったＣｏｎｔｅｎｔＩＤをコンテンツサーバ１０６に送信すると、このコンテンツサーバ１０６は、直接コンテンツをプリンタ１１２に送信する構成としたので、プリンタ１１２にＩＣカード１１１をセットするだけで、自動的にＩＣカード１１１に記録されている全てのＣｏｎｔｅｎｔＩＤのコンテンツが印刷される。
【００７９】
しかしながら、ＩＣカード１１１に記録されているＣｏｎｔｅｎｔＩＤの中から、更に所望のコンテンツのみを指定して印刷したいというユーザニーズも有り得る。
【００８０】
この場合、プリンタ１１２とコンテンツサーバ１０６とのやり取りを１ステップ追加することにより実現可能である。
【００８１】
即ち、図８のステップＳ８１２においてプリンタ１１２からコンテンツサーバ１０６にＣｏｎｔｅｎｔＩＤを送信した後、コンテンツサーバ１０６は、プリンタ１１２に直接コンテンツ自体を送信せずに、まず、これらのコンテンツ情報（コンテンツ名、コンテンツが含まれるチャンネル名や番組名等）のリストをプリンタ１１２に送信するステップを追加する。
【００８２】
次に、コンテンツ情報のリストを受信したプリンタ１１２側で、パネル７０９にコンテンツ情報のリストを表示して、ユーザに所望のコンテンツを選択させる。そして、次のステップで、ユーザが選択したＣｏｎｔｅｎｔＩＤをコンテンツサーバ１０６に送信して、今度は選択されたＣｏｎｔｅｎｔＩＤのコンテンツ自体を取得するようにすれば良い。
【００８３】
上述した第一実施の形態によれば、放送信号１０２に含まれるコンテンツを検出して、その検出したコンテンツを特定するＣｏｎｔｅｎｔＩＤをＩＣカード１１１に記録する受信装置１０９と、ＩＣカード１１１に記録されているＣｏｎｔｅｎｔＩＤを読み取って、インターネット１０５上の所定のコンテンツサーバ１０６からコンテンツを取得して印刷するプリンタ１１２とを設けたので、受信装置１０９にプリンタが接続されていなくても、後でプリンタ１１２が設置されたプリントショップ１０４等で、受信したコンテンツを印刷することができる。
また、ＩＣカード１１１に記録するデータは、コンテンツ自体ではなく、コンテンツを特定するＣｏｎｔｅｎｔＩＤとしたので、コンテンツ自体が複製されたり、再配布されたりすることを防止できる。
【００８４】
また、プリンタ１１２がコンテンツサーバ１０６からコンテンツを取得する際に、まず、コンテンツサーバ１０６からコンテンツ情報のリストを取得して、該リストの中から所望のコンテンツを指定して、コンテンツサーバ１０６から指定したコンテンツのみを取得するようにしたので、ＩＣカード１１１に記録されているコンテンツの中から所望のコンテンツのみを選んで印刷することができる。
【００８５】
（第二実施の形態）
次に、本発明の第二実施の形態を、図１１〜図２０に基づき説明する。
【００８６】
尚、本実施の形態に係る印刷システムの基本的な構成は、上述した第一実施の形態と同一であるから、図１、図２及び、図７を必要に応じて流用して説明する。
【００８７】
上述した第一実施の形態では、受信装置１０９において、データ検出部２０４によりコンテンツを検出した場合、その検出したコンテンツに含まれるＣｏｎｔｅｎｔＩＤをＩＣカード１１１に記録するので、後でコンテンツを印刷する際、受信時に検出したコンテンツしか印刷できない。
【００８８】
具体的な例を、放送番組と、これに含まれるコンテンツの例を示した図３を用いて説明すると、受信装置１０９において、「プリンタの紹介」のシーンから受信を開始したとすると、検出されるコンテンツは、コンテンツ１０２と１０３のみなので、ＩＣカード１１１に記録されるＣｏｎｔｅｎｔＩＤは、Ｃ１０２とＣ１０３のみとなる。
【００８９】
従って、ＩＣカード１１１にＣｏｎｔｅｎｔＩＤ、Ｃ１０１は記録されないので、後でこのＩＣカード１１１をプリントショップに持参してプリンタ１１２に装着しても、コンテンツ１０１は印刷されない。
【００９０】
そこで、本実施の形態は、ある放送番組の途中から受信を開始した場合でも、後で印刷する際には、該放送番組に含まれる一連のコンテンツを全て印刷することが可能としたものである。
【００９１】
まず、本実施の形態において、自宅１０３の受信装置１０９で放送信号１０２に含まれるコンテンツを検出して、所定のデータをＩＣカード１１１に記録するまでの処理について、図１１を用いて説明する。
【００９２】
尚、受信装置１０９のハード構成は、上述した第一実施の形態と同様であるため、その説明を割愛する。
【００９３】
図１１は、同時刻に放送された２つのチャンネルのある放送番組の放送信号（シーン）と、それぞれの放送番組に含まれるコンテンツの一例を示す図である。
【００９４】
同図（ａ）に示す通り、チャンネル２００（Ｃｈ．２００）の「英会話ＩＩ」という放送番組には、コンテンツ２０１、２０２の２つのコンテンツが含まれ、同図（ｂ）に示す通り、チャンネル１００（Ｃｈ．１００）の「テレビショッピング」という放送番組には、コンテンツ１０１、１０２、１０３の３つのコンテンツが含まれる。
【００９５】
また、同図（ｃ）に示す通り、受信状態は、受信装置１０９の受信（選局）状態を示し、時刻Ｔ１からＴ２までは、Ｃｈ．２００を受信（選局）し、時刻Ｔ２で、チャンネルをＣｈ．２００からＣｈ．１００に切り換え、時刻Ｔ２からＴ３までは、Ｃｈ．１００を受信（選局）していたことを示す。
【００９６】
従って、この場合、受信装置１０９のデータ検出部２０４は、時刻Ｔ１からＴ３までの間に、Ｃｈ．２００のコンテンツ２０１と、Ｃｈ．１００のコンテンツ１０２、１０３を検出する。
【００９７】
図１２は、本実施の形態に係る印刷システムにおける放送信号１０２に含まれるコンテンツの構成を示す図であり、同図に示すように、コンテンツは、そのコンテンツが含まれる放送番組を特定するＰｒｏｇｒａｍＩＤ１２０１と、コンテンツデータＣｏｎｔｅｎｔＤＡＴＡ（コンテンツデータ）１２０２とから構成される。
【００９８】
ＰｒｏｇｒａｍＩＤ１２０１は、一つの放送番組に一意な値であるので、図１１（ａ）に示すＣｈ．２００の「英会話ＩＩ」に含まれるコンテンツ２０１、２０２のＰｒｏｇｒａｍＩＤには、例えば、Ｐ２０１という値が、また、図１１（ｂ）に示すＣｈ．１００の「テレビショッピング」に含まれるコンテンツ１０１、１０２、１０３のＰｒｏｇｒａｍＩＤには、例えば、Ｐ１０１という同じ値が格納されている。
【００９９】
図１３は、本実施の形態に係る印刷システムにおいて、ＩＣカード１１１に記録されるデータの一例を示す図であり、記録されるデータは、ＩＣカード１１１自体を識別するためのＣａｒｄＩＤ１３０１と、データ検出部２０４により検出された放送番組を特定するＰｒｏｇｒａｍＩＤ１３０２とから成る。
【０１００】
次に、受信装置１０９において、コンテンツを検出して所定のデータをＩＣカード１１１に記録するまでの処理を、図１４のフローチャートを用いて説明する。
【０１０１】
受信装置１０９は、データ検出部２０４によりコンテンツが検出されるのを待機し（ステップＳ１４０１）、コンテンツが検出されると、その検出されたコンテンツに含まれるＰｒｏｇｒａｍＩＤをＲＡＭ５０に格納する（ステップＳ１４０２）。
【０１０２】
次に、ＩＣカードＩ／Ｆ部２０６にＩＣカード１１１が装着（セット）されているか否かを判別し（ステップＳ１４０３）、装着されていない場合には、この時点で処理を終え、再び前記ステップＳ１４０１へ戻って、データ検出部２０４によりコンテンツが検出されるのを待機する。
【０１０３】
また、前記ステップＳ１４０３において、ＩＣカード１１１が装着されている場合には、続いてＩＣカードＩ／Ｆ部２０６を介してＩＣカード１１１に記録されているデータを読み出し（ステップＳ１４０４）、このＩＣカード１１１に所定のデータを書き込むことが可能か否かを判定する（ステップＳ１４０５）。具体的には、まず、読み出したＣａｒｄＩＤから、この装置で使用可能なＩＣカードであるか否かを判定する。また、ＩＣカード１１１に所定の空きサイズがあるか否かを判定することにより、書き込み可能であるか否かを判定する。
【０１０４】
これら何れかの判定がＮＧの場合、即ち、ＩＣカードに書き込み不可能であると判定した場合には、この時点で処理を終え、再び前記ステップＳ１４０１へ戻って、データ検出部２０４によりコンテンツが検出されるのを待機する。
【０１０５】
また、前記ステップＳ１４０５において、ＩＣカードに書き込み可能であると判定した場合には、次に書き込むＰｒｏｇｒａｍＩＤが既にＩＣカード１１１に記録済みであるか否かを判定する（ステップＳ１４０６）。そして、既に記録済みのＰｒｏｇｒａｍＩＤである場合には、ＩＣカード１１１への書き込みは行わず、再び前記ステップＳ１４０１へ戻って、データ検出部２０４によりコンテンツが検出されるのを待機する。
【０１０６】
また、前記ステップＳ１４０６において、未記録のＰｒｏｇｒａｍＩＤである場合には、該ＰｒｏｇｒａｍＩＤをＩＣカード１１１に書き込み（ステップＳ１４０７）、その後、再び前記ステップＳ１４０１へ戻って、データ検出部２０４によりコンテンツが検出されるのを待機する。
【０１０７】
以上の処理により、例えば、受信装置１０９において、図１１に示すような放送番組の受信を終えると、まず、時刻Ｔ１からＴ２の間にコンテンツ２０１を検出し、ＰｒｏｇｒａｍＩＤのＰ２０１がＩＣカード１１１に記録される。
【０１０８】
次に、時刻Ｔ２からＴ３の間にコンテンツ１０２を検出し、ＰｒｏｇｒａｍＩＤのＰ１０１がＩＣカード１１１に記録される。
【０１０９】
尚、コンテンツ１０３を検出した際には、このコンテンツのＰｒｏｇｒａｍＩＤはＰ１０１であって、既にＩＣカード１１１に記録済みであるため、再度記録されることはない。
【０１１０】
次に、本実施の形態に係る印刷システムにおけるコンテンツサーバ１０６に格納されているデータの構成について、図１５を用いて説明する。
【０１１１】
図１５は、コンテンツサーバ１０６に格納されている放送番組毎のコンテンツや各種情報を収めたデータの構成例を示す図であり、同図において、１５００はデータで、このデータ１５００は、放送番組に関する情報を収めたＰｒｏｇｒａｍ  Ｉｎｆｏ１５０１と、放送番組に含まれるコンテンツ数を示すＮｕｍｂｅｒ  ｏｆ  Ｃｏｎｔｅｎｔｓ１５０２と、コンテンツに関する情報を収めたＣｏｎｔｅｎｔ  Ｉｎｆｏ１５０３と、コンテンツデータＣｏｎｔｅｎｔ  Ｄａｔａ（コンテンツデータ）１５０４とから構成される。
【０１１２】
尚、Ｃｏｎｔｅｎｔ  Ｉｎｆｏ１５０３とＣｏｎｔｅｎｔ  Ｄａｔａ１５０４は、放送番組に含まれるコンテンツ数分格納されている。
【０１１３】
また、Ｐｒｏｇｒａｍ  Ｉｎｆｏ１５０１は、更に、前述の放送番組を特定するＰｒｏｇｒａｍＩＤと、放送番組名を示すＰｒｏｇｒａｍ  Ｎａｍｅと、チャンネルを示すＣｈａｎｎｅｌと、放送番組の放送日を示すＤａｔｅと、開始時刻を示すＳｔａｒｔＴｉｍｅと、終了時刻を示すＥｎｄＴｉｍｅとから構成されている。
【０１１４】
また、Ｃｏｎｔｅｎｔ  Ｉｎｆｏ１５０３は、更に、コンテンツを特定するＣｏｎｔｅｎｔＩＤと、コンテンツ名を示すＣｏｎｔｅｎｔＮａｍｅと、コンテンツのページ数を示すＰａｇｅｓとから構成されている。
【０１１５】
コンテンツサーバ１０６は、これらのデータを、コンテンツが含まれる放送番組の数分格納していて、プリンタ１１２からコンテンツの情報取得要求やコンテンツ取得要求を受け取った際に、これらのデータを参照して、所定のデータをプリンタ１１２に送信する。
【０１１６】
次に、本実施の形態に係る印刷システムにおいて、プリンタ１１２によりＩＣカード１１１に記録されている所定のデータを読み取って、コンテンツサーバ１０６からコンテンツを取得して印刷するまでの処理動作について、図１６〜図２０を用いて説明する。
【０１１７】
尚、プリンタ１１２のハード構成は、上述した第一実施の形態の図７と同一であるため、その説明を割愛する。
図１６、図１７、図１８は、本実施の形態に係る印刷システムにおけるコンテンツ印刷時の処理動作の流れを示すフローチャート、図１９及び図２０は、コンテンツ印刷処理時に、プリンタ１１２のパネル７０９上に表示される操作画面の一例を示す操作フロー図である。
【０１１８】
以下、これら各図を用いて詳細に説明する。
【０１１９】
プリンタ１１２において、コンテンツ印刷処理が起動されると、ＣＰＵ７０６は、まず、ユーザにＩＣカードの挿入を促す図１９に示す初期画面１９０１をパネル７０９に表示する（図１６のステップＳ１６０１）。
【０１２０】
続いて、ＩＣカードＩ／Ｆ部７０１によりＩＣカード１１１の装着が検出されるのを待機し（図１６のステップＳ１６０２）、ＩＣカード１１１の装着が検出されると、装着されたＩＣカード１１１のＣａｒｄＩＤを読み取って、使用可能（読み込み可能）なＩＣカードであるか否かを判定する（図１６のステップＳ１６０３）。
【０１２１】
ＩＣカード１１１に記録されているデータが正しく読み取れなかったり、読み取ったＣａｒｄＩＤが使用不可能なＣａｒｄＩＤであったりした場合、即ち、ＩＣカードが読み込み不可能である場合には、パネル７０９に図１９に示すような画面１９０２を表示して、ＩＣカードが正しく読取れなかったことをユーザに報知する（図１６のステップＳ１６０４）。次に、図１９に示す画面１９０２で終了キーが押下されるのを待機し（図１６のステップＳ１６０５）、終了キーが押下されると、図１８のステップＳ１６３０へ移行して、パネル７０９に図１９に示すような終了画面１９０８を表示する。
【０１２２】
次に、ＩＣカード１１１がプリンタ１１２から引き抜かれるのを待機し（図１８のステップＳ１６３１）、ＩＣカード１１１がプリンタ１１２から引き抜かれると、前記図１６のステップＳ１６０１へ戻る。
【０１２３】
また、前記図１６のステップＳ１６０３において、ＩＣカード１１１に記録されているデータが正しく読み取れた場合、即ち、ＩＣカードが読み込み可能である場合には、続いて読み取ったデータにＰｒｏｇｒａｍＩＤが有るか否かを判定する（図１６のステップＳ１６０６）。そして、ＰｒｏｇｒａｍＩＤが無い場合には、印刷するコンテンツは１つもないので、パネル７０９に図１９に示すような画面１９０４を表示して、データ（ＰｒｏｇｒａｍＩＤ）が記録されていないことをユーザに報知する（図１６のステップＳ１６０７）。次いで、図１９に示すような画面１９０４で終了キーが押下されるのを待機し（図１６のステップＳ１６０８）、終了キーが押下されると、前記図１６のステップＳ１６３０へ移行する。
【０１２４】
また、前記図１６のステップＳ１６０６において、読み取ったデータにＰｒｏｇｒａｍＩＤが有る場合には、パネル７０９に図１９に示すような画面１９０３を表示し、ネットワークＩ／Ｆ部７０２を介してインターネット１０５上の所定のコンテンツサーバ１０６にアクセスする（図１６のステップＳ１６０９）。
【０１２５】
ここで、アクセスするコンテンツサーバ１０６のアドレスの供給方法は、予めプリンタ１１２に設定しておいても良いし、ＩＣカード１１１をプリンタ１１２に挿入した際に、ユーザがパネル７０９から入力する方法をとっても良い。また、予めＩＣカード１１１に記録されていて、これを読み取って供給する方法でも良い。
【０１２６】
コンテンツサーバ１０６にアクセスした結果、例えば、コンテンツサーバ１０６側のトラブルや、ネットワーク１０５上のトラブルにより、正常にアクセスできなかった場合（図１６のステップＳ１６１０）は、パネル７０９に図１９に示すような画面１９０６を表示し、コンテンツサーバ１０６にアクセスできなかったことをユーザに報知する（図１６のステップＳ１６１１）。次いで、図１９に示すような画面１９０６で終了キーが押下されるのを待機し（図１６のステップＳ１６１２）、終了キーが押下されると、前記図１８のステップＳ１６３０へ移行する。
【０１２７】
また、前記図１６のステップＳ１６１０において、コンテンツサーバ１０６に正常にアクセスできた場合は、パネル７０９に図１９に示すような画面１９０５を表示し、ＩＣカード１１１から読み取った一連のＰｒｏｇｒａｍＩＤをネットワークＩ／Ｆ７０２を介してコンテンツサーバ１０６に送信して、番組情報とコンテンツ情報の取得を要求し（図１６のステップＳ１６１３）、その後、図１７のステップＳ１６１４へ移行する。
【０１２８】
尚、コンテンツサーバ１０６は、プリンタ１１２から放送番組情報及びコンテンツ情報の取得要求を受け取ると、受け取ったＰｒｏｇｒａｍＩＤで示される放送番組のＰｒｏｇｒａｍＩｎｆｏ１５０１やＣｏｎｔｅｎｔＩｎｆｏ１５０３をプリンタ１１２に送信する。
【０１２９】
プリンタ１１２は、コンテンツサーバ１０６から各種情報を受信すると、受信した各種情報をＲＡＭ７０８に格納する（図１７のステップＳ１６１４）。続いて、ＲＡＭ７０８に格納した各種情報から、ユーザに印刷する放送番組を選択させるための放送番組リストを作成し、パネル７０９に図１９に示すような画面１９０７を表示する（図１７のステップＳ１６１５）。図１９の画面１９０７には、放送番組名（Ｐｒｏｇｒａｍ  Ｎａｍｅ）と、この放送番組に含まれるコンテンツ数（Ｎｕｍｂｅｒ  ｏｆ  Ｃｏｎｔｅｎｔｓ）とを表示する。
【０１３０】
次に、図１９に示すような画面１９０７でユーザのキー入力を待機し（図１７のステップＳ１６１６）、終了キーが押下された場合は、前記図１８のステップＳ１６３０へ移行する。また、図１７のステップＳ１６１６において、ＯＫキーが押下された場合は、パネル７０９に図２０に示すような次の画面１９０９を表示し、選択された放送番組に関する情報（Ｐｒｏｇｒａｍ  Ｉｎｆｏ）や、コンテンツ数を表示する（図１７のステップＳ１６１７）。
【０１３１】
次に、図２０に示すような画面１９０９でユーザのキー入力を待機し（図１７のステップＳ１６１８）、戻るキーが押下された場合は、前記図１７のステップＳ１６１５へ戻って、図１９に示すような一つ前の画面１９０７をパネル７０９に表示する。また、前記図１７のステップＳ１６１８において、ＯＫキーが押下された場合は、パネル７０９に図２０に示すような次の画面１９１０を表示し、選択された放送番組に含まれるコンテンツに関する情報（Ｃｏｎｔｅｎｔ  Ｉｎｆｏ）を表示する（図１７のステップＳ１６１９）。
【０１３２】
次に、図２０に示すような画面１９１０でユーザのキー入力を待機し（ステップＳ１６２０）、戻るキーが押下された場合は、前記図１７のステップＳ１６１７へ戻って、図２０に示すような一つ前の画面１９０９をパネル７０９に表示する。また、前記ステップＳ１６２０において、印刷キーが押下された場合は、選択された放送番組に含まれるコンテンツを印刷するため、まず、コンテンツサーバ１０６に選択された放送番組のＰｒｏｇｒａｍＩＤを送信して、コンテンツの取得要求を行い（図１７のステップＳ１６２１）、その後、図１８のステップＳ１６２２へ移行する。また、コンテンツ取得中は、パネル７０９に図２０に示すような画面１９１１を表示して、ユーザにコンテンツの取得中であることを報知する。
【０１３３】
コンテンツサーバ１０６からコンテンツが送られて来ると、受信したコンテンツを逐次ＲＡＭ７０８に格納する（図１８のステップＳ１６２２）。選択された放送番組に含まれる全てのコンテンツを取得し終えると、ＲＡＭ７０８に格納したコンテンツの印刷を行う（図１８のステップＳ１６２３）。コンテンツの印刷は、ＲＡＭ７０８に格納したコンテンツを１つずつ読み出し、ビットマップ画像に展開してバッファメモリ７０３に格納し、展開したビットマップ画像をプリンタエンジンＩ／Ｆ７０４を介してプリンタエンジン７１０に出力することにより行われる。また、印刷中は、パネル７０９に図２０に示すような画面１９１２を表示して、ユーザにコンテンツの印刷中であることを報知する。
【０１３４】
１つのコンテンツの印刷を終えた場合、印刷が正常に終了したか否かを判定し（図１８のステップＳ１６２４）、印刷がジャムや紙無しで正常に終了しなかった場合には、所定のリカバリー処理を行い（図１８のステップＳ１６２５）、その後、再び前記図１８のステップＳ１６２３へ戻って、コンテンツの印刷を行う。
【０１３５】
また、前記図１８のステップＳ１６２４において、１つのコンテンツの印刷が正常に終了した場合は、ＲＡＭ７０８から印刷を終えたコンテンツを消去した上で、ＲＡＭ７０８に次に印刷するコンテンツがあるか否かを判定する（図１８のステップＳ１６２６）。そして、次に印刷するコンテンツがある場合には、前記図１８のステップＳ１６２３へ戻って、次のコンテンツの印刷を行う。
【０１３６】
また、ＲＡＭ７０８に格納された全てのコンテンツを印刷し終えると、印刷を終えた放送番組に関する一連の情報（番組情報やコンテンツ情報）をＲＡＭ７０８から消去（クリア）する（図１８のステップＳ１６２７）。また、ＩＣカード１１１の印刷を終えた放送番組のＰｒｏｇｒａｍＩＤを消去する（図１８のステップＳ１６２８）。
【０１３７】
次に、ＲＡＭ７０８に、まだ印刷していない放送番組の各種情報があるか否かを判定し（図１８のステップＳ１６２９）、各種情報がある場合には、前記図１７のステップＳ１６１５へ戻って、放送番組リストを作成し、パネル７０９に表示する。
【０１３８】
例えば、図１９に示すような画面１９０７で「テレビショッピング」を選択してコンテンツの印刷を終えた場合、図２０の画面１９１３に示すように、印刷を終えた「テレビショッピング」は表示されず、まだ印刷していない「英会話ＩＩ」だけが表示される。
【０１３９】
前記図１８のステップＳ１６２９において、ＲＡＭ７０８に放送番組の各種情報が１つも無い場合には、パネル７０９に図１９に示すような終了画面１９０８を表示して、ユーザにＩＣカード１１１をプリンタ１１２から引き抜くように促す（図１８のステップＳ１６３０）。図１９に示すような終了画面１９０８でＩＣカード１１１がプリンタ１１２から引き抜かれるのを待機し（図１８のステップＳ１６３１）、ＩＣカードＩ／Ｆ部７０１によりＩＣカード１１１の引き抜きを検知すると、前記図１６のステップＳ１６０１へ戻って、図１９に示すような初期画面１９０１を表示して、ＩＣカード１１１がプリンタ１１２に挿入されるのを待機する。
【０１４０】
以上の処理により、受信装置１０９がコンテンツを検出すると、検出したコンテンツを含むＰｒｏｇｒａｍＩＤがＩＣカード１１１に記録され、ＰｒｏｇｒａｍＩＤが記録されたＩＣカード１１１を、プリントショップ１０４のプリンタ１１２にセットすると、このプリンタ１１２がＩＣカード１１１に記録されたＰｒｏｇｒａｍＩＤを読み取って所定のコンテンツサーバ１０６に送信し、まず、前記ＰｒｏｇｒａｍＩＤで特定される放送番組の各種情報を取得する。また、取得した放送番組のリストをパネル７０９に表示して、ユーザが所望の放送番組を選択して印刷指示を行うと、選択された放送番組に含まれるコンテンツのＣｏｎｔｅｎｔＩＤをコンテンツサーバ１０６に送信して、該放送番組に含まれる全てのコンテンツを取得して印刷を行う。
【０１４１】
尚、本実施の形態では、番組を特定する情報として、コンテンツデータに放送番組番号（ＰｒｏｇｒａｍＩＤ）を付加して送信し、これをＩＣカード１１１に記録するものとしたが、ＩＣカード１１１に記録するデータは、番組が特定できる情報であれば良いので、放送局１０１が送出する放送信号１０２に含まれるコンテンツデータに特にこのような情報を付加しなくとも、例えば、受信装置１０９が時計手段を備えている場合には、コンテンツを検出したときのチャンネル情報と受信時刻情報とを記録するようにしても良い。この場合、プリンタ１１２は、ＩＣカード１１１に記録されたチャンネル情報と受信時刻情報とを読み取ってコンテンツサーバ１０６に送信し、このコンテンツサーバ１０６は、チャンネル情報と受信時刻情報とから、該当するコンテンツや、該コンテンツが含まれる放送番組を特定し、プリンタ１１２にコンテンツや各種情報を送信するようにすれば良い。
【０１４２】
上述した第二実施の形態によれば、放送信号１０２に含まれるコンテンツを受信して、受信したコンテンツを含む放送番組を特定するＰｒｏｇｒａｍＩＤをＩＣカード１１１に記録する受信装置１０９と、ＩＣカード１１１に記録されているＰｒｏｇｒａｍＩＤを読み取って、インターネット１０５上の所定のコンテンツサーバ１０６からその放送番組に含まれる全てのコンテンツを取得して印刷するプリンタ１１２とを設けたので、受信装置１０９において、ある放送番組の始めから終わりまで全て受信していなくとも、後でプリンタ１１２が設置されたプリントショップ１０４等でコンテンツを印刷する際には、その放送番組に含まれるコンテンツを全て漏れなく印刷することができる。
【０１４３】
（第三実施の形態）
次に、本発明の第三実施の形態を、図２１〜図２７に基づき説明する。
【０１４４】
上述した第一及び第二実施の形態では、コンテンツを印刷する際に、特にユーザによって印刷の許可、不許可を判定することは行っていないので、所定のデータが記録されたＩＣカード１１１をプリンタ１１２にセットすれば、誰でも無条件にコンテンツを印刷することができてしまう。
【０１４５】
これは、放送番組を誰でも無料で受信できるような場合には、このような構成で特に問題は生じないが、例えば、放送番組が有料で、事前に放送局とユーザとの間で受信契約を結んでおくような場合には、受信契約を結んでいないユーザや、契約が切れてしまっているユーザに対しては印刷を許可しない、といった印刷認証を行うことが望ましい。
【０１４６】
また、放送番組の受信とは別に、コンテンツの印刷に対して課金を行うような場合には、ユーザ毎にコンテンツの印刷履歴を記録しおき、後で印刷料金を請求できるようにしておくことが望ましい。
【０１４７】
そこで、本実施の形態では、コンテンツを印刷する際に、印刷を行うユーザに対する印刷認証を行うと共に、コンテンツを印刷した場合に、その印刷履歴を記録することが可能としたものである。
【０１４８】
尚、本実施の形態に係る印刷システムの基本的な構成は、上述した第一実施の形態と同一であるから、図１、図２及び、図７を必要に応じて流用して説明する。
【０１４９】
また、本実施の形態に係る印刷システムにおける受信装置の構成及びその受信装置によりコンテンツを検出してＩＣカードにＰｒｏｇｒａｍＩＤを記録するまでの処理は、上述した第二実施の形態と同一であるため、その説明を割愛する。
【０１５０】
しかしながら、本実施の形態に係る印刷システムにおいては、ＩＣカード１１１に記録されるデータが上述した第一及び第二実施の形態と異なるため、その点だけを説明する。
【０１５１】
図２１は、本実施の形態に係る印刷システムにおいて、ＩＣカード１１１に記録されるデータの一例を示す図であり、記録されるデータは、ＩＣカード１１１自体を識別するためのＣａｒｄＩＤ２１０１と、放送受信者（受信装置のユーザ）を識別するためのＵｓｅｒＩＤ２１０２と、データ検出部２０４により検出された放送番組を特定するＰｒｏｇｒａｍＩＤ２１０３とから成る。
【０１５２】
尚、ＵｓｅｒＩＤ２１０２は、放送局１０１との間で受信契約を結ぶ際に使用されるユーザ識別情報と同一の情報で、放送局１０１及びコンテンツサーバ１０６は、このユーザ識別情報を用いてユーザを識別する。
【０１５３】
また、本実施の形態では、ＵｓｅｒＩＤ２１０２は、予めＩＣカード１１１に記録されていて、ユーザが任意に書き換えることができないものとする。
【０１５４】
次に、本実施の形態に係る印刷システムにおけるコンテンツサーバ１０６に格納されているデータの構成について説明する。
【０１５５】
コンテンツサーバ１０６には、上述した第二実施の形態における図１５に示すような、放送番組毎にコンテンツとコンテンツに関する各種情報とが収められたデータ１５００と、図２２に示すような、放送受信ユーザ毎に該ユーザに関する管理情報が収められたユーザ管理情報２２００とが格納されている。
【０１５６】
ユーザ管理情報２２００は、放送受信ユーザのユーザ識別情報を示すＵｓｅｒＩＤ２２０１と、該ユーザが受信契約済みの放送番組のＰｒｏｇｒａｍＩＤが記録された受信契約情報部２２０２と、該ユーザが印刷を行ったＣｏｎｔｅｎｔＩＤが記録された印刷履歴情報部２２０３とから構成される。
【０１５７】
ユーザ管理情報２２００は、放送局１０１との間で受信の契約を結んでいるユーザの数分格納されていて、ユーザが受信の契約を結ぶと、新たに、そのユーザ管理情報として供給され、契約が解約されると削除される。
【０１５８】
受信契約情報部２２０２は、該ユーザの受信契約状況によって逐次更新される。
尚、本実施の形態においては、受信契約の形態が放送番組単位であって、受信契約情報部２２０２には、契約済みの放送番組のＰｒｏｇｒａｍＩＤを記録するものとするが、受信契約の形態によって、例えば、チャンネル単位の契約である場合には、ＰｒｏｇｒａｍＩＤの代わりにチャンネル情報を記録しておけば良い。
【０１５９】
印刷履歴情報部２２０３は、該ユーザが所定期間の間に印刷したＣｏｎｔｅｎｔＩＤが記録されていて、所定期間経過した時点で全て消去される。
【０１６０】
尚、印刷履歴情報２２０３は、コンテンツの印刷に料金を課す場合に、予め設定された各コンテンツの印刷料金と前記印刷履歴情報とから、所定期間の間に印刷したコンテンツの印刷料金を算出する場合に利用される。
【０１６１】
次に、本実施の形態に係る印刷システムにおけるコンテンツサーバ１０６において、プリンタ１１２から各種データ（番組情報・コンテンツ情報取得要求、コンテンツ取得要求、印刷終了通知）を受信した場合の処理について、図２３のフローチャートを用いて説明する。
【０１６２】
コンテンツサーバ１０６は、プリンタ１１２からデータが入力されるのを待機し（ステップＳ２３０１）、データが入力されると、そのデータが、番組情報及びコンテンツ情報の取得要求を示すデータであるか否かを判定する（ステップＳ２３０２）。
【０１６３】
コンテンツ情報取得要求を示すデータである場合には、続いて、受信したデータに含まれるＵｓｅｒＩＤのユーザ管理情報２２００（図２２参照）が有るか否かを判定する（ステップＳ２３０４）。
【０１６４】
ユーザ管理情報２２００が無い場合には、受信契約していない、若しくは、受信契約が解約されているユーザであるため、ステップＳ２３０７へ移行し、プリンタ１１２にコンテンツの印刷は一切行えない旨通知する。
【０１６５】
また、ユーザ管理情報２２００が有る場合には、続いて、受信したデータに含まれるＰｒｏｇｒａｍＩＤが、ユーザ管理情報２２００の受信契約情報部２２０２に有るか否かを判定する（ステップＳ２３０５）。
【０１６６】
受信契約情報部２２０２に、一致するＰｒｏｇｒａｍＩＤが無い場合には、要求されたＰｒｏｇｒａｍＩＤの放送番組の受信契約が結ばれていない、即ち、印刷を許可するコンテンツは一つも無いため、ステップＳ２３０７へ移行し、プリンタ１１２にコンテンツの印刷は一切行えない旨通知する。
【０１６７】
また、一致するＰｒｏｇｒａｍＩＤが有る場合には、一致したＰｒｏｇｒａｍＩＤの番組情報及びコンテンツ情報を図１５に示すデータ１５００から取り出し、プリンタ１１２に送信する（ステップＳ２３０６）。
【０１６８】
また、前記ステップＳ２３０２において、プリンタ１１２から受信したデータが、番組情報及びコンテンツ情報の取得要求を示すデータでない場合には、コンテンツ取得要求を示すデータであるか否かを判定し（ステップＳ２３０８）、コンテンツ取得要求を示すデータである場合には、受信したデータに含まれるＣｏｎｔｅｎｔＩＤに基づいて、データ１５００からＣｏｎｔｅｎｔＤａｔａを取り出し、プリンタ１１２に送信する（ステップＳ２３０９）。
【０１６９】
また、前記ステップＳ２３０８において、プリンタ１１２から受信したデータが、コンテンツ情報取得要求を示すデータでない場合には、印刷終了通知を示すデータであるため、受信したデータに含まれるＵｓｅｒＩＤとＣｏｎｔｅｎｔＩＤに基づいて、該当するユーザ管理情報２２００の印刷履歴情報部２２０３にＣｏｎｔｅｎｔＩＤを追加して、印刷履歴情報を更新する（ステップＳ２３１０）。
【０１７０】
尚、前記ステップＳ２３０６、ステップＳ２３０７、ステップＳ２３０９において、プリンタ１１２へのデータ送信を終えると、再び前記ステップＳ２３０１へ戻って、プリンタ１１２からデータが入力されるのを待機する。
【０１７１】
次に、本実施の形態に係る印刷システムにおいて、プリンタ１１２でＩＣカード１１１に記録されている所定のデータを読み取って、コンテンツサーバ１０６からコンテンツを取得して印刷するまでの処理について、図２４〜図２７を用いて説明する。
【０１７２】
尚、本実施の形態に係る印刷システムにおけるプリンタ１１２の構成は、上述した第一及び第二実施の形態と同一であるため、その説明を割愛する。
【０１７３】
図２４、図２５、図２６は、本実施の形態に係る印刷システムにおけるコンテンツ印刷時の処理動作の流れを示すフローチャートである。
【０１７４】
尚、図２４、図２５、図２６において、上述した第二実施の形態におけるコンテンツ印刷時の処理フローである図１６、図１７、図１８と同じ処理については、同じ符号、即ち、ステップＳ１６０１〜ステップＳ１６３１で記述する。また、追加される処理については、新たな符号、即ち、ステップＳ１７０１〜ステップＳ１７０４で記述する。
【０１７５】
尚、ステップＳ１６１３については、処理内容が一部異なるため、本実施の形態ではステップＳ１６１３Ａと記述する。
【０１７６】
また、図２７は、本実施の形態に係る印刷システムにおけるコンテンツ印刷処理で、上述した第二実施の形態に追加される操作画面の一例を示す図である。
以下、これら各図を用いて詳細に説明する。
【０１７７】
まず、プリンタ１１２において、コンテンツ印刷処理が起動されてコンテンツサーバ１０６にアクセスするまでの処理（図２４のステップＳ１６０１〜ステップＳ１６１２まで）は、上述した第二実施の形態と同様であるため、その説明を割愛する。
【０１７８】
図２４のステップＳ１６１０でコンテンツサーバ１０６にアクセスできた場合は、そのコンテンツサーバ１０６に、ＩＣカード１１１から読み取ったＵｓｅｒＩＤとＰｒｏｇｒａｍＩＤを送信して、番組情報とコンテンツ情報の取得要求を行う（図２４のステップＳ１６１３Ａ）。
【０１７９】
これに対して、コンテンツサーバ１０６から送られて来たデータが、コンテンツの印刷を許可しないというエラー通知であるか否かを判定し（図２５のステップＳ１７０１）、エラー通知である場合には、パネル７０９に図２７に示すような画面２７０１を表示し、ユーザにコンテンツの印刷が行えないことを報知する（図２５のステップＳ１７０２）。
【０１８０】
続いて、図２７に示すような画面２７０１で終了キーが押下されるのを待機し（図２５のステップＳ１７０３）、終了キーが押下されると、図２６のステップＳ１６３０へ移行して、パネル７０９に図１９に示すような終了画面１９０８を表示する。
【０１８１】
また、図２５のステップＳ１７０１で、コンテンツサーバ１０６から送られて来たデータが、番組情報及びコンテンツ情報である場合には、図２５のステップＳ１６１４へ移行して、取得したこれらの情報をＲＡＭ７０８に格納する。
尚、ここで、上述した第二実施の形態と異なる点は、コンテンツサーバ１０６は、プリンタ１１２が取得要求した全てのＰｒｏｇｒａｍＩＤの情報を無条件に送信して来ることはなく、図２３のコンテンツサーバ１０６のステップＳ２３０５からステップＳ２３０６の処理により、印刷を許可するＰｒｏｇｒａｍＩＤの情報のみを送信して来る点である。
【０１８２】
次に、図２５のステップＳ１６１４でコンテンツサーバ１０６から取得した情報をＲＡＭ７０８に格納してから、図２６のステップＳ１６２３でコンテンツを印刷するまでの処理は、上述した第二実施の形態と同一であるため、その説明を割愛する。
【０１８３】
次に、図２６のステップＳ１６２４で、１つのコンテンツの印刷を正常に終えたと判定した場合は、印刷を終えたＣｏｎｔｅｎｔＩＤとＵｓｅｒＩＤとをコンテンツサーバ１０６に送信して印刷終了通知を行う（図２６のステップＳ１７０４）。これにより、コンテンツサーバ１０６に格納されているユーザ管理情報２２００の印刷履歴情報２２０３が更新される。
【０１８４】
コンテンツサーバ１０６への印刷終了通知を終えると、ＲＡＭ７０８に次に印刷するコンテンツが有るか否かを判定し（図２６のステップＳ１６２６）、印刷するコンテンツが有る場合には、前記図２６のステップＳ１６２３へ移行して、次のコンテンツの印刷を行う。また、印刷するコンテンツが無い場合には、図２６のステップＳ１６２７へ移行して、印刷を終えた番組の番組情報とコンテンツ情報とをＲＡＭ７０８から削除（クリア）する。
【０１８５】
以後、図２６のステップＳ１６２８〜ステップＳ１６３１までの処理は、上述した第二実施の形態と同一であるため、その説明を割愛する。
【０１８６】
以上の処理により、受信装置１０９がコンテンツを検出すると、検出したコンテンツを含むＰｒｏｇｒａｍＩＤが、予めＵｓｅｒＩＤが記録されたＩＣカード１１１に記録され、ＵｓｅｒＩＤとＰｒｏｇｒａｍＩＤが記録されたＩＣカード１１１を、プリントショップ１０４のプリンタ１１２にセットすると、プリンタ１１２がＩＣカード１１１に記録されたＵｓｅｒＩＤとＰｒｏｇｒａｍＩＤとを読み取って所定のコンテンツサーバ１０６に送信し、このコンテンツサーバ１０６において、該ユーザに対するコンテンツの印刷が認証された場合は、前記ＰｒｏｇｒａｍＩＤで特定される放送番組の各種情報や放送番組に含まれるコンテンツを取得して印刷を行う。
【０１８７】
また、プリンタ１１２でコンテンツの印刷を正常に終えた場合、印刷を行ったＵｓｅｒＩＤと、印刷を終えたＣｏｎｔｅｎｔＩＤをコンテンツサーバ１０６に送信し、このコンテンツサーバ１０６で、ユーザ毎の印刷履歴情報を作成する。
【０１８８】
上述した第三実施の形態によれば、放送信号に含まれるコンテンツを受信して、受信したコンテンツを含む放送番組を特定するＰｒｏｇｒａｍＩＤを、予めＵｓｅｒＩＤが記録されたＩＣカード１１１に記録する受信装置１０９と、ＩＣカード１１１に記録されているＵｓｅｒＩＤとＰｒｏｇｒａｍＩＤとを読み取って、インターネット１０５上の所定のコンテンツサーバ１０６からその放送番組に含まれる全てのコンテンツを取得して印刷し、その印刷した結果をコンテンツサーバ１０６に通知するプリンタ１１２と、予めユーザ毎に設けられた印刷許可情報に基づいて印刷認証を行い、また、ユーザ毎の印刷履歴を作成するコンテンツサーバ１０６とを設けたので、プリントショップ１０４等でコンテンツを印刷する場合に、印刷許可のないユーザがむやみに印刷することを防止できる。また、コンテンツを印刷したユーザを特定したり、コンテンツの印刷に対して課金を行うことができる。
【０１８９】
尚、上述した第一、第二、第三実施の形態では、何れも、記録媒体としてＩＣカードを使用したが、特にＩＣカードに限定されることはなく、所定のデータを記録できて、持ち運び可能であれば良いので、例えば、記録媒体として携帯情報端末（に含まれるメモリ）を使用しても良い。
【０１９０】
この場合、受信装置、携帯情報端末、印刷装置のそれぞれに無線データ通信手段を設け、自宅の受信装置で所定のデータを携帯情報端末に送信し、携帯情報端末に所定のデータを記憶しておき、前記携帯情報端末をプリントショップ等に持参して、携帯情報端末に記録されている所定のデータをプリンタに送信することにより実現することができる。
【０１９１】
また、上述した第一、第二、第三実施の形態では、何れも、受信装置１０９においてコンテンツを検出した場合に、常に所定のデータを記録媒体であるＩＣカード１１１に記録する構成としたが、受信装置１０９に、コンテンツを検出した場合に所定のデータを記録媒体に記録するか否かを選択する選択手段を設けることにより、例えば、印刷したいコンテンツが含まれる放送番組を受信する場合のみ、予め前記選択手段により所定のデータを記録媒体に記録するように設定しておけば、記録媒体に無駄なデータが記録されることを防止できる。
【０１９２】
また、上述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【０１９３】
この場合、記憶媒体から読み出されたプログラムコード自体が上述した各実施の形態の機能を実現することになり、そのプログラムコードを記憶した記憶媒体は本発明を構成することになる。
【０１９４】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【０１９５】
また、コンピュータが読み出したプログラムコードを実行することにより、上述した各実施の形態の機能が実現されるだけでなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれることは言うまでもない。
【０１９６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した各実施の形態の機能が実現される場合も含まれることは言うまでもない。
【０１９７】
以上では、本発明の様々な例と実施の形態を説明したが、当業者であれば、本発明の趣旨と技術範囲は、本明細書内の特定の説明と図に限定されるものではなく、本願特許請求の範囲に全て述べられた様々な点において修正と変更に及ぶことが可能であることは言うまでもない。
【０１９８】
本発明の実施態様の例を以下に列挙する。
【０１９９】
［実施態様１］
放送信号に含まれるコンテンツを検出して所定の情報を記録媒体に記録する受信装置と、前記記録媒体に記録されている所定の情報を読み取ってコンテンツサーバからコンテンツを取得する印刷装置と、前記印刷装置からの要求に応じて所定のコンテンツを前記印刷装置に送信するコンテンツサーバとから成ることを特徴とする印刷システム。
【０２００】
［実施態様２］
放送信号にコンテンツを重畳して送出する放送局と、前記放送局から送出される放送信号を受信する受信装置と、前記コンテンツが格納されたコンテンツサーバと、前記コンテンツサーバからコンテンツを取得して印刷する印刷装置とから成り、前記受信装置は、放送信号に含まれるコンテンツを検出する検出手段と、前記検出手段により前記コンテンツを検出した場合に所定の情報を記録媒体上に記録する記録手段とを備え、前記印刷装置は、前記記録媒体上に記録されている所定の情報を読み取る読取手段と、前記読取手段により読み取った所定の情報に基づいて前記コンテンツサーバから前記コンテンツを取得するコンテンツ取得手段と、前記コンテンツ取得手段により取得したコンテンツを可視画像に展開して記録紙上に印刷する印刷手段とを備え、前記コンテンツサーバは、前記放送信号に含まれるコンテンツと該コンテンツを特定する所定の情報とを対応づけて格納する格納手段と、前記印刷装置からコンテンツ取得要求を受信する受信手段と、前記受信手段により受信したコンテンツ取得要求に基づいて所定のコンテンツを前記印刷装置に送信する送信手段とを備えたことを特徴とする印刷システム。
【０２０１】
［実施態様３］
前記印刷装置は、前記読取手段により読み取った所定の情報を前記コンテンツサーバに送信してコンテンツ情報を取得するコンテンツ情報取得手段と、前記コンテンツ情報取得手段により取得したコンテンツ情報を表示する表示手段と、前記表示手段に表示したコンテンツ情報の中から所望のコンテンツを指定する指定手段とを備え、前記指定手段により指定されたコンテンツを前記コンテンツ取得手段により前記コンテンツサーバから取得し、前記コンテンツサーバは、前記放送信号に含まれるコンテンツと該コンテンツを特定する所定の情報と該コンテンツのコンテンツ情報とを対応づけて格納する格納手段と、前記印刷装置からコンテンツ取得要求とコンテンツ情報取得要求とを受信する受信手段と、前記受信手段により受信したコンテンツ情報取得要求に基づいて所定のコンテンツ情報を前記印刷装置に送信するコンテンツ情報送信手段とを備えたことを特徴とする実施態様２に記載の印刷システム。
【０２０２】
［実施態様４］
前記所定の情報は、前記検出手段により検出したコンテンツに含まれるコンテンツ特定情報であることを特徴とする実施態様２または３に記載の印刷システム。
【０２０３】
［実施態様５］
前記所定の情報は、前記検出手段により検出したコンテンツに含まれる放送番組特定情報であることを特徴とする実施態様２または３に記載の印刷システム。
【０２０４】
［実施態様６］
前記印刷装置は時計手段を備え、前記所定の情報は、前記検出手段によりコンテンツを検出した時点の日時情報とチャンネル情報であることを特徴とする実施態様２または３に記載の印刷システム。
【０２０５】
［実施態様７］
前記記録媒体は、ＩＣカードであり、前記受信装置の記録手段は、前記ＩＣカードに所定の情報を書き込むＩＣカード書き込み手段であり、前記印刷装置の読取手段は、前記ＩＣカードから所定の情報を読み取るＩＣカード読取手段であることを特徴とする実施態様２乃至６のいずれかに記載の印刷システム。
【０２０６】
［実施態様８］
放送信号にコンテンツを重畳して送出する放送局と、前記放送局から送出される放送信号を受信する受信装置と、前記コンテンツが格納されたコンテンツサーバと、前記コンテンツサーバからコンテンツを取得して印刷する印刷装置とから成り、前記受信装置は、放送信号に含まれるコンテンツを検出する検出手段と、前記検出手段でコンテンツを検出した場合、所定の情報を予めユーザ識別情報が記録された記録媒体上に記録する記録手段とを備え、前記印刷装置は、前記記録媒体上に記録されているユーザ識別情報と所定の情報を読み取る読取手段と、前記読取手段により読み取ったユーザ識別情報と所定の情報とを前記コンテンツサーバに送信してコンテンツを取得するコンテンツ取得手段と、
前記コンテンツ取得手段により取得したコンテンツを可視画像に展開して記録紙上に印刷する印刷手段と、前記印刷手段において印刷を終えた場合に前記ユーザ識別情報と印刷を終えたコンテンツを特定する所定の情報とを前記コンテンツサーバに通知する印刷終了通知手段とを備え、前記コンテンツサーバは、前記放送信号に含まれるコンテンツと該コンテンツを特定する所定の情報とを対応づけて格納する格納手段と、前記印刷装置からコンテンツ取得要求と印刷終了通知を受信する受信手段と、前記受信手段により受信したコンテンツ取得要求に基づいて所定のコンテンツを前記印刷装置に送信するコンテンツ送信手段と、前記受信手段により受信した印刷終了通知に基づいてユーザ識別情報毎の印刷履歴を作成する印刷履歴作成手段とを備えたことを特徴とする印刷システム。
【０２０７】
［実施態様９］
前記コンテンツサーバは、ユーザ識別情報毎の印刷許可情報を保持し前記受信手段により受信したコンテンツ取得要求と前記印刷許可情報とに基づいてコンテンツの印刷許可及び不許可を判定する印刷認証手段を備えたことを特徴とする実施態様８に記載の印刷システム。
【０２０８】
［実施態様１０］
前記印刷許可情報は、予め放送局とユーザとの間で結ばれた受信契約情報であることを特徴とする実施態様９に記載の印刷システム。
【０２０９】
［実施態様１１］
前記コンテンツサーバは、予めコンテンツ毎に設定された印刷課金情報を保持し前記印刷履歴情報と前記印刷課金情報とに基づいてユーザ識別情報毎に印刷したコンテンツの印刷料金を算出する印刷課金手段を備えたことを特徴とする実施態様８乃至１０のいずれかに記載の印刷システム。
【０２１０】
［実施態様１２］
前記記録媒体は、ＩＣカードであり、前記受信装置の記録手段は、前記ＩＣカードに所定の情報を書き込むＩＣカード書き込み手段であり、前記印刷装置の読取手段は、前記ＩＣカードから所定の情報を読み取るＩＣカード読取手段であることを特徴とする実施態様８乃至１１のいずれかに記載の印刷システム。
【０２１１】
［実施態様１３］
前記記録媒体は、無線データ通信手段を備えた携帯情報端末のメモリであり、前記受信装置の記録手段は、前記携帯情報端末に所定の情報を無線で送信する無線データ送信手段であり、前記印刷装置の読取手段は、前記携帯情報端末から所定の情報を無線で受け取る無線データ受信手段であることを特徴とする実施態様８乃至１１のいずれかに記載の印刷システム。
【０２１２】
［実施態様１４］
前記印刷装置は、前記コンテンツ検出手段においてコンテンツを検出した際に、所定の情報を前記記憶媒体上に記録するか否かを選択するための選択手段を備え、前記選択手段により所定の情報を記録すると選択されている場合にのみ前記記録手段による記録動作を行うことを特徴とする実施態様８乃至１３のいずれかに記載の印刷システム。
【０２１３】
［実施態様１５］
受信装置により放送信号に含まれるコンテンツを検出して所定の情報を記録媒体に記録する記録ステップと、印刷装置により前記記録媒体に記録されている所定の情報を読み取ってコンテンツサーバからコンテンツを取得する取得ステップと、前記コンテンツサーバにより前記受信装置からの要求に応じて所定のコンテンツを前記印刷装置に送信する送信ステップとから成ることを特徴とする印刷方法。
【０２１４】
［実施態様１６］
放送局により放送信号にコンテンツを重畳して送出する送出ステップと、前記放送局から送出される放送信号を受信装置により受信する受信ステップと、前記コンテンツが格納されたコンテンツサーバからコンテンツを取得して印刷装置により印刷する印刷ステップとから成り、前記受信装置は、放送信号に含まれるコンテンツを検出する検出ステップと、前記検出ステップにより前記コンテンツを検出した場合に所定の情報を記録媒体上に記録手段により記録する記録ステップとを備え、前記印刷装置は、前記記録媒体上に記録されている所定の情報を読取手段により読み取る読取ステップと、前記読取ステップにより読み取った所定の情報に基づいて前記コンテンツサーバから前記コンテンツを取得するコンテンツ取得ステップと、前記コンテンツ取得ステップにより取得したコンテンツを可視画像に展開して記録紙上に印刷する印刷ステップとを備え、前記コンテンツサーバは、前記放送信号に含まれるコンテンツと該コンテンツを特定する所定の情報とを対応づけて格納する格納ステップと、前記印刷装置からコンテンツ取得要求を受信する受信ステップと、前記受信ステップにより受信したコンテンツ取得要求に基づいて所定のコンテンツを前記印刷装置に送信する送信ステップとを備えたことを特徴とする印刷方法。
【０２１５】
［実施態様１７］
前記印刷装置は、前記読取ステップにより読み取った所定の情報を前記コンテンツサーバに送信してコンテンツ情報を取得するコンテンツ情報取得ステップと、前記コンテンツ情報取得ステップにより取得したコンテンツ情報を表示する表示ステップと、前記表示ステップにより表示したコンテンツ情報の中から所望のコンテンツを指定する指定ステップとを備え、前記指定ステップにより指定されたコンテンツを前記コンテンツ取得ステップにより前記コンテンツサーバから取得し、前記コンテンツサーバは、前記放送信号に含まれるコンテンツと該コンテンツを特定する所定の情報と該コンテンツのコンテンツ情報とを対応づけて格納する格納ステップと、前記印刷装置からコンテンツ取得要求とコンテンツ情報取得要求とを受信する受信ステップと、前記受信ステップにより受信したコンテンツ情報取得要求に基づいて所定のコンテンツ情報を前記印刷装置に送信するコンテンツ情報送信ステップとを備えたことを特徴とする実施態様１６に記載の印刷方法。
【０２１６】
［実施態様１８］
前記所定の情報は、前記検出ステップにより検出したコンテンツに含まれるコンテンツ特定情報であることを特徴とする実施態様１６または１７に記載の印刷方法。
【０２１７】
［実施態様１９］
前記所定の情報は、前記検出ステップにより検出したコンテンツに含まれる放送番組特定情報であることを特徴とする実施態様１６または１７に記載の印刷方法。
【０２１８】
［実施態様２０］
前記印刷装置は時間を計時する計時ステップを備え、前記所定の情報は、前記検出ステップによりコンテンツを検出した時点の日時情報とチャンネル情報であることを特徴とする実施態様１６または１７に記載の印刷方法。
【０２１９】
［実施態様２１］
前記記録媒体は、ＩＣカードであり、前記受信装置の記録手段は、前記ＩＣカードに所定の情報を書き込むＩＣカード書き込み手段であり、前記印刷装置の読取手段は、前記ＩＣカードから所定の情報を読み取るＩＣカード読取手段であることを特徴とする実施態様１６乃至２０のいずれかに記載の印刷方法。
【０２２０】
［実施態様２２］
前記記録媒体は、無線データ通信手段を備えた携帯情報端末のメモリであり、前記受信装置の記録手段は、前記携帯情報端末に所定の情報を無線で送信する無線データ送信手段であり、前記印刷装置の読取手段は、前記携帯情報端末から所定の情報を無線で受け取る無線データ受信手段であることを特徴とする実施態様１６乃至２０のいずれかに記載の印刷方法。
【０２２１】
［実施態様２３］
前記印刷装置は、前記コンテンツ検出ステップにおいてコンテンツを検出した際に、所定の情報を前記記憶媒体上に記録するか否かを選択するための選択ステップを備え、前記選択ステップにより所定の情報を記録すると選択されている場合にのみ前記記録ステップによる記録動作を行うことを特徴とする実施態様１６乃至２２のいずれかに記載の印刷方法。
【０２２２】
［実施態様２４］
放送局により放送信号にコンテンツを重畳して送出する送出ステップと、前記放送局から送出される放送信号を受信装置により受信する受信ステップと、前記コンテンツが格納されたコンテンツサーバからコンテンツを取得して印刷装置により印刷する印刷ステップとから成り、前記受信装置は、放送信号に含まれるコンテンツを検出する検出ステップと、前記検出ステップにより前記コンテンツを検出した場合に所定の情報を予めユーザ識別情報が記録された記録媒体上に記録手段により記録する記録ステップとを備え、前記印刷装置は、前記記録媒体上に記録されているユーザ識別情報と所定の情報を読取手段により読み取る読取ステップと、前記読取ステップにより読み取ったユーザ識別情報と所定の情報とを前記コンテンツサーバに送信してコンテンツを取得するコンテンツ取得ステップと、前記コンテンツ取得ステップにより取得したコンテンツを可視画像に展開して記録紙上に印刷する印刷ステップと、前記印刷ステップにおいて印刷を終えた場合に前記ユーザ識別情報と印刷を終えたコンテンツを特定する所定の情報とを前記コンテンツサーバに通知する印刷終了通知ステップとを備え、前記コンテンツサーバは、前記放送信号に含まれるコンテンツと該コンテンツを特定する所定の情報とを対応づけて格納する格納ステップと、前記印刷装置からコンテンツ取得要求と印刷終了通知を受信する受信ステップと、前記受信ステップにより受信したコンテンツ取得要求に基づいて所定のコンテンツを前記印刷装置に送信するコンテンツ送信ステップと、前記受信ステップにより受信した印刷終了通知に基づいてユーザ識別情報毎の印刷履歴を作成する印刷履歴作成ステップとを備えたことを特徴とする印刷方法。
【０２２３】
［実施態様２５］
前記コンテンツサーバは、ユーザ識別情報毎の印刷許可情報を保持し前記受信ステップにより受信したコンテンツ取得要求と前記印刷許可情報とに基づいてコンテンツの印刷許可及び不許可を判定する印刷認証ステップを備えたことを特徴とする実施態様２４に記載の印刷方法。
【０２２４】
［実施態様２６］
前記印刷許可情報は、予め放送局とユーザとの間で結ばれた受信契約情報であることを特徴とする実施態様２５に記載の印刷方法。
【０２２５】
［実施態様２７］
前記コンテンツサーバは、予めコンテンツ毎に設定された印刷課金情報を保持し前記印刷履歴情報と前記印刷課金情報とに基づいてユーザ識別情報毎に印刷したコンテンツの印刷料金を算出する印刷課金ステップを備えたことを特徴とする実施態様２４乃至２６のいずれかに記載の印刷方法。
【０２２６】
［実施態様２８］
前記記録媒体は、ＩＣカードであり、前記受信装置の記録手段は、前記ＩＣカードに所定の情報を書き込むＩＣカード書き込み手段であり、前記印刷装置の読取手段は、前記ＩＣカードから所定の情報を読み取るＩＣカード読取手段であることを特徴とする実施態様２４乃至２７のいずれかに記載の印刷方法。
【０２２７】
［実施態様２９］
前記記録媒体は、無線データ通信手段を備えた携帯情報端末のメモリであり、前記受信装置の記録手段は、前記携帯情報端末に所定の情報を無線で送信する無線データ送信手段であり、前記印刷装置の読取手段は、前記携帯情報端末から所定の情報を無線で受け取る無線データ受信手段であることを特徴とする実施態様２４乃至２７のいずれかに記載の印刷方法。
【０２２８】
［実施態様３０］
前記印刷装置は、前記コンテンツ検出ステップにおいてコンテンツを検出した際に、所定の情報を前記記憶媒体上に記録するか否かを選択するための選択ステップを備え、前記選択ステップにより所定の情報を記録すると選択されている場合にのみ前記記録ステップによる記録動作を行うことを特徴とする実施態様２４乃至２９のいずれかに記載の印刷方法。
【０２２９】
［実施態様３１］
放送局からの放送信号を受信する受信装置と、前記放送信号に含まれるコンテンツを印刷する印刷装置と、前記印刷装置からの要求に応じて所定のコンテンツを前記印刷装置に送信するコンテンツサーバとから成る印刷システムを制御するためのコンピュータ読取可能な制御プログラムであって、前記放送信号に含まれるコンテンツを検出して所定の情報を記録媒体に記録する記録ステップと、前記録媒体に記録されている所定の情報を読み取ってコンテンツサーバからコンテンツを取得する取得ステップと、前記受信装置からの要求に応じて所定のコンテンツを前記印刷装置に送信する送信ステップとをコンピュータに実行させるためのプログラムコードから成ることを特徴とする印刷システムの制御プログラム。
【０２３０】
［実施態様３２］
放送局からの放送信号を受信する受信装置と、前記放送信号に含まれるコンテンツを印刷する印刷装置と、前記印刷装置からの要求に応じて所定のコンテンツを前記印刷装置に送信するコンテンツサーバとから成る印刷システムを制御するためのコンピュータ読取可能な制御プログラムであって、前記放送信号にコンテンツを重畳して送出する送出ステップと、前記放送局からの放送信号を受信する受信ステップと、前記コンテンツが格納された前記コンテンツサーバからコンテンツを取得して印刷する印刷ステップと、前記放送信号に含まれるコンテンツを検出する検出ステップと、前記検出ステップにより前記コンテンツを検出した場合に所定の情報を記録媒体上に記録する記録ステップと、前記録媒体上に記録されている所定の情報を読み取る読取ステップと、前記読取ステップにより読み取った所定の情報に基づいて前記コンテンツサーバから前記コンテンツを取得するコンテンツ取得ステップと、前記コンテンツ取得ステップにより取得したコンテンツを可視画像に展開して記録紙上に印刷する印刷ステップと、前記放送信号に含まれるコンテンツと該コンテンツを特定する所定の情報とを対応づけて格納する格納ステップと、前記印刷装置からコンテンツ取得要求を受信する受信ステップと、前記受信ステップにより受信したコンテンツ取得要求に基づいて所定のコンテンツを前記印刷装置に送信する送信ステップとをコンピュータに実行させるためのプログラムコードから成ることを特徴とする印刷システムの制御プログラム。
【０２３１】
［実施態様３３］
放送局からの放送信号を受信する受信装置と、前記放送信号に含まれるコンテンツを印刷する印刷装置と、前記印刷装置からの要求に応じて所定のコンテンツを前記印刷装置に送信するコンテンツサーバとから成る印刷システムを制御するためのコンピュータ読取可能な制御プログラムであって、前記放送信号にコンテンツを重畳して送出する送出ステップと、前記放送局からの放送信号を受信する受信ステップと、前記コンテンツが格納されたコンテンツサーバからコンテンツを取得して印刷する印刷ステップと、前記放送信号に含まれるコンテンツを検出する検出ステップと、前記検出ステップにより前記コンテンツを検出した場合に所定の情報を予めユーザ識別情報が記録された記録媒体上に記録する記録ステップと、前記録媒体上に記録されているユーザ識別情報と所定の情報とを読み取る読取ステップと、前記読取ステップにより読み取ったユーザ識別情報と所定の情報とを前記コンテンツサーバに送信してコンテンツを取得するコンテンツ取得ステップと、前記コンテンツ取得ステップにより取得したコンテンツを可視画像に展開して記録紙上に印刷する印刷ステップと、前記印刷ステップにおいて印刷を終えた場合に前記ユーザ識別情報と印刷を終えたコンテンツを特定する所定の情報とを前記コンテンツサーバに通知する印刷終了通知ステップと、前記放送信号に含まれるコンテンツと該コンテンツを特定する所定の情報とを対応づけて格納する格納ステップと、前記印刷装置からコンテンツ取得要求と印刷終了通知とを受信する受信ステップと、前記受信ステップにより受信したコンテンツ取得要求に基づいて所定のコンテンツを前記印刷装置に送信するコンテンツ送信ステップと、前記受信ステップにより受信した印刷終了通知に基づいてユーザ識別情報毎の印刷履歴を作成する印刷履歴作成ステップとをコンピュータに実行させるためのプログラムコードから成ることを特徴とする印刷システムの制御プログラム。
【０２３２】
【発明の効果】
以上説明したように、本発明によれば、受信装置で検出したコンテンツを、受信装置に接続していない印刷装置、例えばプリントショップ等に設置された印刷装置で印刷することができる。
【０２３３】
また、記録媒体に受信装置で検出したコンテンツ自体を記録せずに、コンテンツを特定することができる所定の情報を記録するので、コンテンツが複製されたり再配布されたりすることを防止できる。
【図面の簡単な説明】
【図１】本発明の第一実施の形態に係る印刷システム全体の構成を示す図である。
【図２】本発明の第一実施の形態に係る印刷システムにおける受信装置のハード構成を示すブロック図である。
【図３】本発明の第一実施の形態に係る印刷システムにおいて、ある放送番組と、これに含まれるコンテンツを説明するための図である。
【図４】本発明の第一実施の形態に係る印刷システムにおけるコンテンツの構成を示す図である。
【図５】本発明の第一実施の形態に係る印刷システムにおけるＩＣカードに記録されるデータの構成を示す図である。
【図６】本発明の第一実施の形態に係る印刷システムにおける受信装置のコンテンツ検出時の処理動作の流れを示すフローチャートである。
【図７】本発明の第一実施の形態に係る印刷システムにおけるプリンタのハード構成を示すブロック図である。
【図８】本発明の第一実施の形態に係る印刷システムにおけるプリンタのコンテンツ印刷処理時の動作の流れを示すフローチャートである。
【図９】本発明の第一実施の形態に係る印刷システムにおけるプリンタのコンテンツ印刷処理時の動作の流れを示すフローチャートである。
【図１０】本発明の第一実施の形態に係る印刷システムにおけるコンテンツ印刷処理時の操作画面フローを示す図である。
【図１１】本発明の第二実施の形態に係る印刷システムにおいて、ある放送番組と、これに含まれるコンテンツと受信装置の受信状態とを説明するための図である。
【図１２】本発明の第二実施の形態に係る印刷システムにおけるコンテンツの構成を示す図である。
【図１３】本発明の第二実施の形態に係る印刷システムにおけるＩＣカードに記録されるデータの構成を示す図である。
【図１４】本発明の第二実施の形態に係る印刷システムにおける受信装置のコンテンツ検出処理時の動作の流れを示すフローチャートである。
【図１５】本発明の第二実施の形態に係る印刷システムにおけるコンテンツサーバに格納されているデータの構成を示す図である。
【図１６】本発明の第二実施の形態に係る印刷システムにおけるプリンタのコンテンツ印刷処理時の動作の流れを示すフローチャートである。
【図１７】本発明の第二実施の形態に係る印刷システムにおけるプリンタのコンテンツ印刷処理時の動作の流れを示すフローチャートである。
【図１８】本発明の第二実施の形態に係る印刷システムにおけるプリンタのコンテンツ印刷処理時の動作の流れを示すフローチャートである。
【図１９】本発明の第二実施の形態に係る印刷システムにおけるコンテンツ印刷処理時の操作画面フローを示す図である。
【図２０】本発明の第二実施の形態に係る印刷システムにおけるコンテンツ印刷処理時の操作画面フローを示す図である。
【図２１】本発明の第三実施の形態に係る印刷システムにおけるＩＣカードに記録されるデータの構成を示す図である。
【図２２】本発明の第三実施の形態に係る印刷システムにおけるコンテンツサーバに格納されているユーザ管理情報の構成を示す図である。
【図２３】本発明の第三実施の形態に係る印刷システムにおけるコンテンツサーバのデータ入力処理時の動作の流れを示すフローチャートである。
【図２４】本発明の第三実施の形態に係る印刷システムにおけるプリンタのコンテンツ印刷処理時の動作の流れを示すフローチャートである。
【図２５】本発明の第三実施の形態に係る印刷システムにおけるプリンタのコンテンツ印刷処理時の動作の流れを示すフローチャートである。
【図２６】本発明の第三実施の形態に係る印刷システムにおけるプリンタのコンテンツ印刷処理時の動作の流れを示すフローチャートである。
【図２７】本発明の第三実施の形態に係る印刷システムにおいて追加される操作画面を示す図である。
【符号の説明】
１０１      放送局
１０２      放送信号、
１０３      自宅
１０４      プリントショップ
１０５      インターネット
１０６      コンテンツサーバ
１０７      受信システム
１０８      アンテナ
１０９      受信装置
１１０      モニタ
１１１      ＩＣカード
１１２      プリンタ（印刷装置）
２０１      アナログ復調部
２０２      映像／音声信号出力部
２０３      チューナ
２０４      データ検出部
２０５      リモコン信号受信部
２０６      ＩＣカードＩ／Ｆ（インターフェース）
２０７      ＣＰＵ（中央演算処理装置）
２０８      ＲＯＭ（リードオンリーメモリ）
２０９      ＲＡＭ（ランダムアクセスメモリ）
２１０      リモコン（リモートコントローラ）
２１１      ＣＰＵバス
７０１      ＩＣカードＩ／Ｆ（インターフェース）
７０２      ネットワークＩ／Ｆ（インターフェース）
７０３      バッファメモリ
７０４      プリンタエンジンＩ／Ｆ（インターフェース）
７０５      パネルＩ／Ｆ（インターフェース）
７０９      パネル
７１０      プリンタエンジン
７１１      ＣＰＵバス
【図１】
2004178186.tif 000003
【図２】
2004178186.tif 000004
【図３】
2004178186.tif 000005
【図４】
2004178186.tif 000006
【図５】
2004178186.tif 000007
【図６】
2004178186.tif 000008
【図７】
2004178186.tif 000009
【図８】
2004178186.tif 000010
【図９】
2004178186.tif 000011
【図１０】
2004178186.tif 000012
【図１１】
2004178186.tif 000013
【図１２】
2004178186.tif 000014
【図１３】
2004178186.tif 000015
【図１４】
2004178186.tif 000016
【図１５】
2004178186.tif 000017
【図１６】
2004178186.tif 000018
【図１７】
2004178186.tif 000019
【図１８】
2004178186.tif 000020
【図１９】
2004178186.tif 000021
【図２０】
2004178186.tif 000022
【図２１】
2004178186.tif 000023
【図２２】
2004178186.tif 000024
【図２３】
2004178186.tif 000025
【図２４】
2004178186.tif 000026
【図２５】
2004178186.tif 000027
【図２６】
2004178186.tif 000028
【図２７】
2004178186.tif 000029